Podtech/llm-jp-corpus-v4-ja_patent huggingface dataset:
(57)【要約】      （修正有）【課題】ゴムのような柔らかい素材の中心にワイヤーを通し、かつ突起部をつけ、曲折したパイプの汚れを効果的に除去する排水パイプクリーナーを提供する。【解決手段】柔らかい素材で、パイプクリーナー本体１を作り、本体１と一体化した突起部により、パイプの中だけでなく側面の汚れも除去する。また、パイプをスムーズに通すためと、本体１の強度を保つために、中心にワイヤーを通す。そして、本体１をパイプに通しやすくするため、取っ手２をつけることにより、曲折したパイプのどんな汚れも除去できるようにした。【選択図】図１
0003162015.tif 000002
【実用新案登録請求の範囲】
【請求項１】
突起部をつけた筒状で、中心に強度を増すためワイヤーを通した、ゴムのような柔らかい素材でできた排水パイプクリーナー
【考案の詳細な説明】
【技術分野】
【０００１】  本考案は、突起部をつけたゴム製の、排水パイプクリーナーである。
【背景技術】
【０００２】  排水パイプが詰まった場合、ワイヤーにブラシが付いた形状のクリーナーしか無かった。
【先行技術文献】
【０００３】
【非特許文献１】  株式会社クイックパック  厨房用品パンフレット  ２０１０年
【非特許文献２】  株式会社カクダイ  総合カタログ  ２０１０−２０１１年
【考案の概要】
【考案が解決しようとする課題】
【０００４】  従来のパイプクリーナーは、ワイヤーにナイロン等でできたブラシがついている物であり、ワイヤーの素材、構造によって、パイプの曲がっている部分を通すものであったが、ワイヤーではスムーズに通らなかった。本考案は、ゴム状の柔軟性のある素材を使う事によって、パイプの曲がっている部分も、通しやすくしようとするものである。
【課題を解決するための手段】
【０００５】  本考案は、ゴム状のもの（シリコンゴム等適宜素材による。以下ゴムと称する。）で、パイプクリーナー本体を作り、パイプの曲折部をスムーズに通し、また、本体に突起部を作ることによって、パイプ側面の、ごみ、汚れも除去できるようにしたものである。また、ゴムのみでは、パイプの奥まで届く強度が足りないので、中心に柔軟性のある素材でワイヤー状のもの（ステンレス、ポリプロピレン等適宜素材で作るが  、以下便宜的にワイヤーと称する。）を通すことにより、スムーズに、効果的にパイプの詰まりを除去しようとした。
【考案の効果】
【０００６】  上記の様に、本考案のゴム製パイプクリーナーは、クリーナー本体を、中心にワイヤーを通したゴムで作ることにより、曲折したパイプの中も、効果的に汚れを落とすことが出来るようにした。
【図面の簡単な説明】
【０００７】
【図１】  本考案のゴム製排水パイプクリーナーの実施例を示す正面図である。
【図２】  パイプクリーナー本体の一部切欠断面
【考案を実施するための形態】
【０００８】  パイプクリーナー本体は、ゴムで筒状に作り、周りに突起部をつける。突起部と筒状の部分は一体化させ、突起部が落剥しないようにする。筒状の中心にワイヤーを通し、スムーズにパイプを通せるようにする。また、ポリプロピレンのような適宜素材で、取っ手をつけ、つかみやすくゴム部を動かしやすくする。
【実施例】
【０００９】  以下、添付図面に従って実施例を説明する。
１はゴムで一体化形成されたパイプクリーナー本体、２はパイプクリーナーをつかみやすくするためポリプロピレン等でできた取っ手、３はパイプの中をスムーズに通すためにパイプクリーナー本体の中心に通したステンレス等で作るワイヤーである。
【符号の説明】
【００１０】１  パイプクリーナー本体
２  取っ手
３  ワイヤー
【図１】
0003162015.tif 000003
【図２】
0003162015.tif 000004
(57)【要約】      （修正有）【課題】芳香容器に密着したシートを使用せず、代りに脱着可能なシールを分割可能に蓋に貼り、一部分を剥がすことで香りの調整を行なえ、剥がしたシールをアクセサリーシールとしても使用できる芳香容器を提供する。【解決手段】容器本体２と蓋３からなる芳香容器１において、蓋３には、芳香放出用の開口部を１ヶ所以上設けておき、更に分割剥離可能なシール５を前記蓋の開口部を閉塞するように貼着する。このとき、前記シールには、分割剥離可能となるよう、任意の形状に切れ目線を施しておく。【選択図】図１
0003162132.tif 000002
【実用新案登録請求の範囲】
【請求項１】
容器本体と蓋とからなる芳香容器において、前記蓋は、芳香放出用の開口部が１ヶ所以上設けられており、更に分割剥離可能なシールが前記蓋の開口部を閉塞するように貼着されていることを特徴とする芳香容器。
【考案の詳細な説明】
【技術分野】
【０００１】
本考案は、芳香容器に関するものである。
【背景技術】
【０００２】
従来、室内、トイレ、車内等で使用されている芳香剤等の充填剤は、芳香容器に収納された状態で販売されている。そして、この芳香容器の代表的なものとしては、蓋付きの容器で、使用時に蓋を取り、容器の開口部を閉塞したシートやフィルムを剥がして再度蓋を嵌めて使用する使い捨てタイプのものが多い。
そして、この蓋は、何らかのデザインが施され、前記デザインの一部が開口部になっている為、前記開口部から香りが拡散する構造になっている。
しかしながら、これらの芳香容器では、香りの揮散を調整する手段を有しておらず、狭い部屋では香りが強すぎ、剥がしたシートやプルトップ式蓋自体は、利用価値は無かった。
また、詰め替えて使用するタイプには、香りの揮散を調整する手段を備えたものがあるが、コストが高く、経済的なものでは無かった。
【特許文献１】特開２００２−３６２６６０
【特許文献２】実願２００３−２７４４
【考案の開示】
【考案が解決しようとする課題】
【０００３】
本考案は、上記問題を解決するため成されたもので、芳香容器に密着したシート等を使用せず、代りに脱着可能なシールを分割可能に蓋に貼り、一部分を剥がすことで香りの調整を行なえ、剥がしたシールをアクセサリーシールとしても使用できる芳香容器を提供する。
【課題を解決するための手段】
【０００４】
容器本体と蓋とからなる芳香容器において、前記蓋は、芳香放出用の開口部が１ヶ所以上設けられており、更に分割剥離可能なシールが前記蓋の開口部を閉塞するように貼着されていることを特徴とする。
【考案の効果】
【０００５】
請求項１に記載の考案によれば、分割できるシールの内、好きな部分を１枚以上はがしたり、再度貼りなおすことで香りの量を調整でき、分割の仕方によっては、はがしたシールをノートや壁などにアクセサリーシールとして使用出来る。
【０００６】
また、これまで必要であった芳香容器に密着したシート等が不要となるので、芳香容器のコストが全体として削減出来る。
【考案を実施するための最良の形態】
【０００７】
容器本体と蓋からなる芳香容器において、蓋には、芳香放出用の開口部を１ヶ所以上設けておき、更に分割剥離可能なシールを前記蓋の開口部を閉塞するように貼着する。
このとき、前記シールには、分割剥離可能となるよう、任意の形状に切れ目線を施しておく。
【実施例１】
【０００８】
以下、図面を参照して本考案に係る芳香剤容器の実施例を説明する。
図１は、本考案の芳香容器の斜視図であり、図２は、本考案の芳香容器の分割可能なシールデザインの一例図であり、図３は、本考案の芳香容器の分割可能なシールが、アクセサリーシールとして使用される図である。また、図４は、本考案の芳香容器の天面部分の図案例である。
【０００９】
まず、芳香剤等の充填剤を芳香容器の本体２に収納し、前記本体２に蓋３をする。
【００１０】
ここで、前記蓋３は、例えば、図４のように何らかのデザインが施され、前記デザインの一部が開口部４になっている為、蓋をした状態では、前記開口部４から香りが拡散する構造になっている。
【００１１】
そこで、前記蓋３の開口部４を閉塞する為、脱着可能なシール５を蓋に貼って図１のように本考案の芳香容器１を完成させる。
【００１２】
このとき、分割可能にする手段として、予め、シール５に切れ目線６を施すが、シール５に印刷を施す場合、図形モチーフが半分に切れたりしないようにすることが望ましい。
【００１３】
また、蓋３の本体２への取り付け方法は、はめ込みタイプ、回して閉めるスクリュータイプなど特に限定しない。
【００１４】
そして、使用する際は、例えば、図２のようにシール５の一部を切れ目線６に沿ってはがし、シール５下の開口部４より香りを拡散させ、好みの香りの量に調整する為に、シール５を数枚剥がしたり、張り直したりする。
【００１５】
また、例えばキャラクターのアウトラインに沿って剥がせるシール５であれば、図３のように、アクセサリーシールとしてノートや壁などに貼れる。
【００１６】
そして、本実施例では、円柱形状の容器を使用しているが、角柱形状でも花や動物形状でも良く、特に限定しない。
【００１７】
また、側面にも商品名や、図柄等を付けて如何様にもアレンジすることが可能である。
【００１８】
なお、本考案の実施において、保存状態での密封度を保つ為、更に充填剤を入れた芳香容器本体のシートやフィルムによる密封、あるいはプルトップ式の中蓋を付けることによる密封を妨げるものではなく、これらの密封方法を併せて実施しても構わない。
【００１９】
このように、好ましい実施例を挙げて本考案を説明したが、本考案はその実施例に限定されるものではなく、本考案の要旨の範囲内で種々に改変できる。
【図面の簡単な説明】
【００２０】
【図１】本考案の芳香容器の斜視図である。
【図２】本考案の芳香容器の分割可能なシールデザインの一例図である。
【図３】本考案の芳香容器の分割可能なシールが、アクセサリーシールとして使用される図である。
【図４】本考案の芳香容器の天面部分の図案例である。
【符号の説明】
【００２１】
１  芳香容器
２  本体
３  蓋
４  開口部
５  シール
６  切れ目線
【図１】
0003162132.tif 000003
【図２】
0003162132.tif 000004
【図３】
0003162132.tif 000005
【図４】
0003162132.tif 000006
(57)【要約】      （修正有）【課題】物の出し入れを簡単にでき、使い易い物入れを提供する。【解決手段】物入れＭは、四面体型の物入れである。材質は、張りのある革又は布である。１つの稜部が開口部１になっていて、この中に引き込むことができる蓋２が設けられてある。蓋２は、物入れＭの１つの面とほぼ同じ形状になっている。紐３は、蓋２を物入れＭの中に引き込み、また引き込んだ蓋２を外に引き出すことによって、上記開口部１を開閉するために使用する。紐３の一端部は、蓋２の先端部２ａに止めてあり、他端部は物入れの中に入れて頂部４に移動可能に通してある。蓋２の先端部２ａに止めてある紐３の自由端部３ａは、蓋２を開閉するときのつまみとなる。物入れを使用するときは、つまみ３ａを引っ張って開口部１を開き、コインなどを入れて、紐３を物入れＭの頂部側へ引っ張って閉める。【選択図】図１
0003162185.tif 000002
【実用新案登録請求の範囲】
【請求項１】
四面体型の物入れであって、１つの稜部が開口部になっており、この開口部に物入れの中に引き込むことができる蓋が設けられており、蓋の先端部に止め、物入れの頂部を移動する蓋開閉用の紐を取り付けたことを特徴とする物入れである。
【考案の詳細な説明】
【技術分野】
【０００１】  この考案は、ひも一本の操作で物の出し入れができる物入れに関するものである。
【背景技術】
【０００２】  従来から図２に示すような四面体型の小物入れ１１はあるが、開閉口はファスナー１２を使用している。【０００３】  しかし、ファスナー使用の開閉は、ファスナーのつまみ部分１３が小さく、開閉口も狭いため、使用者には使いずらいという欠点がある。
【先行技術文献】
【特許文献】
【０００４】
【考案の概要】
【考案が解決しようとする課題】
【０００５】  本考案の課題は、物の出し入れを簡単にでき使い易い物入れを提案することである。
【課題を解決するための手段】
【０００６】  本考案は、四面体型の物入れであって、１つの稜部が開口部になっており、この開口部に物入れの中に引き込むことができる蓋が設けられており、蓋の先端部に止め、物入れの頂部を移動する蓋開閉用の紐を取り付けたことを特徴とする物入れである。
【考案の効果】
【０００７】  本考案の物入れは、蓋を付けたことにより、蓋を一本のひもで開閉が簡単にできる。
【図面の簡単な説明】
【０００８】
【図１】実施例の物入れの斜視図
【図２】従来の物入れの斜視図
【考案を実施するための形態】
【０００９】  本願の物入れを図１に示す実施例により説明する。
【００１０】  実施例の物入れＭは，図１に示すように、四面体型の物入れである。材質は、張りのある革又は布である。１つの稜部が開口部１になっていて、この中に引き込むことができる蓋２が設けられてある。蓋２は、物入れＭの１つの面とほぼ同じ形状になっている。３は、蓋２を物入れＭの中に引き込み、また引き込んだ蓋２を外に引き出すことによって、上記開口部１を開閉するための蓋開閉用の紐である。紐３の一端部は、蓋２の先端部２ａに止めてあり、他端部は物入れの中に入れて頂部４に移動可能に通してある。蓋２の先端部２ａに止めてある紐３の自由端部３ａは、蓋２を開閉するときのつまみとなる。物入れを使用するときは、つまみ３ａを引っ張って開口部１を開き、コインなどを入れて、紐３を物入れＭの頂部側へ引っ張って閉める。
【符号の説明】
【００１６】  Ｍ    物入れ
１    開口部
２    蓋
２ａ  蓋の先端部
３    紐
３ａ  つまみ
４    頂部
１１  物入れ
１２  ファスナアー
１３  つまみ
【図１】
0003162185.tif 000003
【図２】
0003162185.tif 000004
【手続補正書】
【提出日】平成22年6月2日(2010.6.2)
【手続補正１】
【補正対象書類名】実用新案登録請求の範囲
【補正対象項目名】全文
【補正方法】変更
【補正の内容】
【実用新案登録請求の範囲】
【請求項１】
一面が三角形の壁面となっている四面体型の物入れであって、隣り合う２つの三角形の壁面で形成される稜部に設けた開口部と、この開口部を形成する一方の三角形の壁面に延設した前記開口部を開閉する前記壁面とほぼ同じ形状の蓋と、この蓋を開閉するための紐とよりなり、前記紐は、先端部を他方の三角形の壁面の頂部に設けた穴に通し、中間部を前記蓋の自由端部に固定し、前記紐の先端部を物入れより外側へ引き出して蓋を閉じ、蓋に中間部で固定した紐の後端部を物入れの外側へ引き出して蓋を開く構成としたことを特徴とする物入れ。
【手続補正２】
【補正対象書類名】明細書
【補正対象項目名】０００６
【補正方法】変更
【補正の内容】
【０００６】本考案は、一面が三角形の壁面となっている四面体型の物入れであって、隣り合う２つの三角形の壁面で形成される稜部に設けた開口部と、この開口部を形成する一方の三角形の壁面に延設した前記開口部を開閉する前記壁面とほぼ同じ形状の蓋と、この蓋を開閉するための紐とよりなり、前記紐は、先端部を他方の三角形の壁面の頂部に設けた穴に通し、中間部を前記蓋の自由端部に固定し、前記紐の先端部を物入れより外側へ引き出して蓋を閉じ、蓋に中間部で固定した紐の後端部を物入れの外側へ引き出して蓋を開く構成としたことを特徴とする物入れである。
【手続補正３】
【補正対象書類名】明細書
【補正対象項目名】００１０
【補正方法】変更
【補正の内容】
【００１０】実施例の物入れＭは、図１に示すように、三角形の壁面５ａ、５ｂ、５ｃ、５ｄとなっている四面体型の物入れである。材質は革又は布である。この物入れＭは、隣り合う２つの三角形の壁面５ａ、５ｄで形成される稜部に設けた開口部１と、この開口部１を形成する一方の三角形の壁面５ｄに設けた前記開口部１を開閉する蓋２と、この蓋２を開閉するための紐３とよりなる。前記蓋２は、三角形の壁面５ａとほぼ同じ形状である。前記紐３は、先端部を三角形の壁面５ａの頂部４に設けた穴に通し、中間部を前記蓋２の先端部（自由端部）２ａに固定されている。前記紐３を物入れＭの頂部４より外側へ引き出して蓋２を閉じ、蓋２の先端部（自由端部）２ａで固定した紐３の後端部３ａを物入れＭの外側へ引き出して蓋２を開く。このようにすると、物入れＭの蓋２の開閉ができる。
【手続補正４】
【補正対象書類名】明細書
【補正対象項目名】００１６
【補正方法】変更
【補正の内容】
【００１６】Ｍ    物入れ
１    開口部
２    蓋
２ａ  蓋の先端部（自由端部）
３    紐
３ａ  紐の後端部
４    頂部
５ａ  三角形の壁面
５ｂ  三角形の壁面
５ｃ  三角形の壁面
５ｄ  三角形の壁面
【手続補正５】
【補正対象書類名】図面
【補正対象項目名】図１
【補正方法】変更
【補正の内容】
【図１】
0003162185.tif 000005
(57)【要約】      （修正有）【課題】お好み焼きを手で持って食べられるようにし、冷凍することにより通信販売を可能にするお好み焼きを提供する。【解決手段】お好み焼きの生地を混ぜたものの間にソース類を挟み、小型に焼成し個別に包装することにより解決した。小型にすることにより、食事制限されている人や、子供にも適し、食事にも、おやつにもなる軽便さを得られる。個別包装にしているため、冷凍にして保存する事が出来、地方発送も可能で、ネットショッピングでの販路も広がる。【選択図】図２
0003162171.tif 000002
【実用新案登録請求の範囲】
【請求項１】
お好み焼き生地１ａと１ｂに焼きそば２，マヨネーズ３，ソース４をはさみイカ、豚、鰹節、海苔５をのせ、焼成し、手で持っても手を汚さず食べられる事を特徴とするお好み焼き。
【請求項２】
手を汚さないために、耐油性の料理用の紙で袋状に折った入れ物６に［請求項１］のお好み焼きを入れることを特徴とする。
【考案の詳細な説明】
【技術分野】
【０００１】本考案は、製造段階でソース類と焼きそばをお好み焼きの生地にはさみ、焼成されたものを袋に入れることにより、手を汚さず食べることの出来る小型のお好み焼きに関する。
【背景技術】
【０００２】従来お好み焼きは、鉄板等で小麦粉、卵、野菜、魚肉類等と水を混ぜ合わせて焼いた栄養バランスの取れた食品であり、専門店でも家庭でも広く普及し、食するときは  テコを使うのが一般的である。
【考案の概要】
【考案が解決しようとする課題】
【０００３】従来お好み焼きは、鉄板等で焼き上げた物に、ソース、鰹節、海苔等をのせ、テコ、お箸、お皿等、器具を使って食べられている。
冷凍された物に関しても加熱した後で、ソース等をのせて器具を使って食べられている。
手で持って食べられるものもあるが、ソース類を表面に付けたり、焼成したものを海苔で巻いたりしたものであり、手を汚したり、本来のお好み焼きの味を変えてしまうものである。
【課題を解決するための手段】
【０００４】テコ、お箸、お皿等、器具を使わない為に、手で持てる大きさにし、ソース類を、水、小麦粉、卵、野菜、調味料を混ぜた生地の中に入れ焼成することや、耐油性料理用の紙で折った袋に入れる事で解決する。
また、焼成したものに加工を施さないので、お好み焼き本来の味になる。
【考案の効果】
【０００５】小型にすることにより、食事制限されている人や、子供にも適し、食事にも、おやつにもなる軽便さを得られる。
個別包装にしているため、冷凍にして保存する事が出来、地方発送も可能で、ネットショッピングでの販路も広がる。
【図面の簡単な説明】
【０００６】
【図１】手折紙袋入り小型焼きそば入りお好み焼きの正面図である。
【図２】小型焼きそば入りお好み焼きの断面図である。
【図３】手折紙袋
【考案を実施するための形態】
【０００７】水、小麦粉、卵、野菜、調味料を混ぜた生地の間にソース、マヨネーズ、焼きそばを入れ、その上にイカ、豚、鰹節、海苔をのせ焼成し、それを耐油性の料理用紙で折った袋に入れる。
大きさは、直径７ｃｍの丸枠で焼き上げる為、円形にする。
個別包装により冷凍にも出来る。
【符号の説明】
【０００８】１ａ  お好み焼きの生地上部
１ｂ  お好み焼きの生地下部
２  焼きそば
３  マヨネーズ
４  ソース
５  イカ、豚、鰹節、海苔
６  耐油性料理用手折紙袋
【図１】
0003162171.tif 000003
【図２】
0003162171.tif 000004
【図３】
0003162171.tif 000005
【手続補正書】
【提出日】平成22年5月25日(2010.5.25)
【手続補正２】
【補正対象書類名】実用新案登録請求の範囲
【補正対象項目名】全文
【補正方法】変更
【補正の内容】
【実用新案登録請求の範囲】
【請求項１】
お好み焼き生地上部（１ａ）とお好み焼き生地下部（１ｂ）の間に、ソース（４）、マヨネーズ（３）、焼きそば（２）をはさみ、お好み焼き生地上部（１ａ）の上にイカ、豚、鰹節、海苔（５）をのせ、焼成する事を特徴とする小型のお好み焼き。
【請求項２】
請求項１記載の小型のお好み焼きを、耐油性の紙で袋状に折った入れ物（６）に入れることを特徴とする袋入りお好み焼き。
【手続補正３】
【補正対象書類名】明細書
【補正対象項目名】全文
【補正方法】変更
【補正の内容】
【考案の詳細な説明】
【技術分野】
【０００１】本考案は、製造段階でソース類と焼きそばをお好み焼きの生地にはさみ、更にその焼成されたものを袋に入れることにより、手を汚さず食べることの出来る小型のお好み焼きに関する。
【背景技術】
【０００２】従来お好み焼きは、鉄板等で小麦粉、卵、野菜、魚肉類等と水を混ぜ合わせて焼いた栄養バランスの取れた食品であり、専門店でも家庭でも広く普及し、食するときは  テコを使うのが一般的である。
【考案の概要】
【考案が解決しようとする課題】
【０００３】従来お好み焼きは、鉄板等で焼き上げた物に、ソース、鰹節、海苔等をのせ、テコ、お箸、お皿等、器具を使って食べられている。
冷凍された物に関しても加熱した後で、ソース等をのせて器具を使って食べられている。
手で持って食べられるものもあるが、従来の物は、ソース類を表面に付けたり、海苔で巻いたりしたものであり、手を汚したり、本来のお好み焼きの味を変えてしまうものである。
【課題を解決するための手段】
【０００４】お好み焼き生地上部（１ａ）とお好み焼き生地下部（１ｂ）の間に、ソース（４）、マヨネーズ（３）、焼きそば（２）をはさみ、お好み焼き生地上部（１ａ）の上にイカ、豚、鰹節、海苔（５）をのせ、直径７ｃｍの丸枠で、焼成する事により、手で持てる小型のお好み焼きにでき、テコ、お箸、お皿等、器具を使わないという、上記問題点を解決する。【０００５】更に前記小型のお好み焼きを、耐油性の紙で袋状に折った入れ物（６）に入れることにより手で持っても、手を汚さないという上記問題を解決する。
また、焼成したものに加工を施さないので、お好み焼き本来の味になる。
【考案の効果】
【０００６】手を汚さないし、更に小型にすることにより、食事制限されている人や、子供にも適し、食事にも、おやつにもなる軽便さを得られる。
また、個別包装にしているため、冷凍にして保存する事ができ、地方発送も可能で、ネットショッピングでの販路も広がる。
【図面の簡単な説明】
【０００７】
【図１】本考案の小型のお好み焼き及び、その袋入りお好み焼きの正面図である。
【図２】本考案の小型のお好み焼きの断面図である。
【図３】本考案の手折紙袋を示す正面図である。
【考案を実施するための形態】
【０００８】お好み焼き生地上部（１ａ）とお好み焼き生地下部（１ｂ）の間に、ソース（４）、マヨネーズ（３）、焼きそば（２）をはさみ、お好み焼き生地上部（１ａ）の上にイカ、豚、鰹節、海苔（５）をのせ、焼成し、それを耐油性の料理用紙で折った袋に入れる。
大きさは、直径７ｃｍの丸枠で焼き上げる為、小型の円形にする。
個別包装により冷凍にも出来る。
【符号の説明】
【０００９】１ａ  お好み焼きの生地上部
１ｂ  お好み焼きの生地下部
２  焼きそば
３  マヨネーズ
４  ソース
５  イカ、豚、鰹節、海苔
６  耐油性料理用手折紙袋
(57)【要約】      （修正有）【課題】コンタクトレンズを傷つけることなく、衛生的に装着又は取り外しができるコンタクトレンズ挿入器具を提供する。【解決手段】先端に角度を付けた形の、スポイトの先端に皿状の吸盤を取り付ける。スポイトとケースの接合部はゴムをティーパーにする事でケースの密着により液漏れを防ぐ。【選択図】図２
0003162175.tif 000002
【実用新案登録請求の範囲】
【請求項１】
スポイトの先端に皿状の吸盤を取り付けスポイトの吸引力を利用しコンタクトレンズを吸い付け目にレンズを取り付け取り外しをする事が出来る器具とし先の部々の角度を付ける事で指と同じ感覚で使用出来違和感を無し吸盤部を容器に入れ消毒が出来、又▲６▼のスポイトとケースの接合部はゴムをティーパにする事でケースとの密着度を強くする部々を作り液漏を防く用にしたコンタクトレンズ挿入器具とする。
【請求項２】
スポイトとケースの接合部▲６▼のティーパ一部をネジに変更してケースと密着させ液漏を防ぐ事とする。
【考案の詳細な説明】
【技術分野】
【０００１】  本考察は目にコンタクトレンズを装着又は取り外す時に使用する補助具で有る。
【背景技術】
【０００２】  現在では指先でコンタクトレンズは装着又は取り外しを行なっている。
【先行技術文献】
【特許文献】
【０００３】
【特許文献】  特開２０００−７０２７６
【考察の概要】
【考察が解決しようとする課題】
【０００４】  現在コンタクトレンズを指先に載せ取り付けている。
その為指先の角度を誤るとレンズを落し紛失する事が度々起る、又指先で行う為に不衛生で有る。
【課題を解決するための手段】
【０００５】  スポイトの先に吸盤を取り付け吸引力によりコンタクトレンズを吸い付ける事で、目に装着する事を可能に角度を誤ってもレンズを落す事なく、目に装着させる事が出来る又器具をケースに入れ消毒を出来る用にし清潔を保ち吸盤を軟らかいゴムにする事でレンズに傷を付ける事なくコンタクトレンズを目に装着出来る器具である。
【発明の効果】
【０００６】  本考察はコンタクトレンズを傷を付けたり落して紛失する事なく目に装着又取り外しが易いに出来又ケースに入れる事で衛生的に出来て眼病予防にも成るコンタクトレンズ挿入器具案で有る。
【図面の簡単な説明】
【０００７】
【図１】は本考察の概略断面図。
【図２】は本考察のケース付断面図。
【考案を実施するための形態】
【０００８】  本考察の形態はスポイトの先に吸盤を取り付け吸引力によりレンズを吸い付け、レンズを目に装着する事を容易にし、眼病予防の為にケース内で消毒が出来る用にしたコンタクトレンズ挿入具で有る。
【符号の説明】
【０００９】  ▲１▼  目    ▲２▼  コンタクトレンズ    ▲３▼  吸盤
▲４▼  硝子又はプラスチック    ▲５▼  吸引ゴム    ▲６▼  接合部
▲７▼  容器    ▲８▼  消毒液用空間部
【図１】
0003162175.tif 000003
【図２】
0003162175.tif 000004
【手続補正書】
【提出日】平成22年6月1日(2010.6.1)
【手続補正１】
【補正対象書類名】実用新案登録請求の範囲
【補正対象項目名】全文
【補正方法】変更
【補正の内容】
【実用新案登録請求の範囲】
【請求項１】
先端に角度を付けた形の、スポイトの先端に皿状の吸盤を取り付け、スポイトの吸引力によりコンタクトレンズを吸い付け、目にレンズを取り付け取り外す、コンタクトレンズ挿入器であって、スポイトとケースの接合部▲６▼はゴムをティーパーにする事でケースの密着により液漏れを防ぐコンタクトレンズ挿入器具。
【請求項２】
上記スポイトと上記ケースの接合部▲６▼のティーパー部をネジに変更してケースと密着させ液漏れを防ぐ事を特徴とした、請求項１に記載のコンタクトレンズ挿入器具。
(57)【要約】      （修正有）【課題】外出先等で背広など衣類等を脱いで持ち歩く為のハンガー（フック）を提供する。【解決手段】２本の棒の間に挟み込むタイプにし、１本の棒をゆるやかな谷折りにする事で、抑える役目を持たせた。片方で衣類等を持ち、もう片方で、ハンガーを持つ。２本の棒の間に衣類等を差込んだ後、フック部分をバッグ等に引っ掛ける。外出先等で背広など衣類等を脱いでの持ち歩きに便利になった。【選択図】図１
0003162158.tif 000002
【実用新案登録請求の範囲】
【請求項１】
ハンガーに掛けた背広等の衣類等が滑り落ちない機能を持たせ、ガバン、バッグ等に掛けれるお出かけ用ハンガー（フック）
【考案の詳細な説明】
【技術分野】
【０００１】この考案は、背広などの衣類等を掛けるハンガー（フック）に関するものである。
【背景技術】
【０００２】外出先等で背広など衣類等を脱いで持ち歩く為のハンガー（フック）が無かった。
【考案の開示】
【考案が解決しようとする課題】
【０００３】（イ）ハンガーに架けた背広などの衣類等が滑り落ちるのを防止する必要がある。
（ロ）カバン、バッグ、腰のベルト等に引っ掛ける部分（フック）を設ける必要がある。
紐などを利用してハンガーをバッグ等に吊るす、縛る等の応用も考えられる。
（ハ）短時間で（片手でも）ハンガーに掛けれる様にシンプルな構造にする必要がある。
（ニ）簡単にバッグ等に引っ掛けるフック部分が必要がある。
（ニ）衣類等を掛ける向き、フックの向き、ハンガーの材質等は問わない。
【課題を解決するための手段】
【０００４】２本の棒の間に挟み込むタイプにし、１本の棒をゆるやかな谷折りにする事で、抑える役目を持たせた。
【考案の効果】
【０００５】１）外出先等で背広など衣類等を脱いでの持ち歩きに便利になった。
本考案は以上の構成からなる衣類等ハンガー（フック）の考案である。
【考案を実施するための最良の形態】
【０００６】
【実施例】
【０００７】片方で衣類等を持ち、もう片方で、ハンガーを持つ。
２本の棒の間に衣類等を差込んだ後、フック部分をバッグ等に引っ掛ける。
【産業上の利用可能性】
【０００８】
【図面の簡単な説明】
【０００８】
【図１】全体図である。
【図２】上から見た図である。
【図３】横から見た図である。
【図４】別な角度から見た全体図である。
【符号の説明】
【０００９】Ａ        衣類等を掛ける部分
Ｂ        滑り落ちを防止する押さえ部分
Ｃ        バッグ等に引っ掛けるフック部分
【図１】
0003162158.tif 000003
【図２】
0003162158.tif 000004
【図３】
0003162158.tif 000005
【図４】
0003162158.tif 000006
【手続補正書】
【提出日】平成21年10月5日(2009.10.5)
【手続補正１】
【補正対象書類名】実用新案登録請求の範囲
【補正対象項目名】全文
【補正方法】変更
【補正の内容】
【実用新案登録請求の範囲】
【請求項１】
一本の棒から「Ｓ」字を上下押し漬して底辺を真っ直ぐ横に伸ばした形状、別な表現として、「Ｃ」文字と文字の下の先端と、逆さにした「つ」の文字の上の先端、それらの端を結んだ形状です。
上の部分（「Ｃ」）を取っ手部、下の部（「逆さのつ」）が衣類を挟むクリップ部とした構造である。
尚、材質は問わず、２本以上の棒等を溶接若しくは組立た物でも利用可能である。
0003162158.tif 000007
縦折りした背広等の衣類をクリップ部分に横から通し棒に掛ける構造とし、通す際は、押さえる力を強めにしておかないと、衣類が滑り落ちますので、取っ手部分を上に持ち上げながら、衣類を持った手で、衣類と一緒に下へ押しながら通すと良い。
取っ手部を手で持って若しくはバッグ等に掛けて使用するお出かけ用ハンガーであり、この物を、縦にして、一方の山折り部分を引っ掛けて一方に物を掛ける利用方法で、特殊な形状のＳフックとして、主に重たい物等を掛けるフックとしての機能も有する。
【手続補正書】
【提出日】平成22年1月12日(2010.1.12)
【手続補正１】
【補正対象書類名】実用新案登録請求の範囲
【補正対象項目名】全文
【補正方法】変更
【補正の内容】
【実用新案登録請求の範囲】
【請求項１】
硬い材質の一本の棒又はパイプから「Ｓ」字を上下押し潰して底辺を真っ直ぐ横に伸ばした形状、別な表現として、「Ｃ」文字と文字の下の先端と、逆さにした「つ」の文字の上の先端、それらの端を結んだ形状で、２本以上の棒又はパイプを利用して溶接若しくは組立てた構造でも可能であり、上の部分（「Ｃ」）を取っ手部、下の部（「逆さのつ」）を衣類を挟むクリップ部とした構造であり、縦折りした衣類をクリップ部に横から通す構造とした、お出かけ用ハンガーである。
【手続補正書】
【提出日】平成22年4月5日(2010.4.5)
【手続補正１】
【補正対象書類名】実用新案登録請求の範囲
【補正対象項目名】全文
【補正方法】変更
【補正の内容】
【実用新案登録請求の範囲】
【請求項１】
鉄、アルミニウム、ステンレス等の硬い材質の一本若しくは２本以上の棒又はパイプを、「Ｓ」字を上下押し潰して底辺を真っ直ぐ横に伸ばした形状、別な表現として、「Ｃ」文字と文字の下の先端と逆さにした「つ」の文字の上の先端を結んだ形状で溶接若しくは組立てる構造とし、上の部分（「Ｃ」）を取っ手部、下の部（「逆さのつ」）は縦折りした衣類を横から通し衣類を挟むクリップ部とした構造を特徴とする、ハンガーである。
【手続補正書】
【提出日】平成22年6月3日(2010.6.3)
【手続補正１】
【補正対象書類名】実用新案登録請求の範囲
【補正対象項目名】全文
【補正方法】変更
【補正の内容】
【実用新案登録請求の範囲】
【請求項１】
一本の棒からなるハンガーにおいて、前記棒が「Ｓ」字を上下押し潰して底辺を真っ直ぐ横に伸ばした形状であり、前記棒の上の部分を取っ手部とし、前記底辺と、前記底辺と対向する部分とを、衣類を挟むクリップ部としたことを特徴とするハンガー。
(57)【要約】      （修正有）【課題】豆腐やケーキのように柔らかい素材のものを安全かつ便利に切る包丁を提供する。【解決手段】包丁は、刃の部分が糸状のものである。糸状のものは、ナイロン線、ピアノ線、ステンレス線、又は鋼線である。【選択図】図１
0003162120.tif 000002
【実用新案登録請求の範囲】
【請求項１】
包丁の刃の部分を細い糸状のものにした包丁。
【請求項２】
上記細い糸状のものは、ナイロン線、またはピアノ線、またはステンレス線、または鋼線である請求項１の包丁。
【考案の詳細な説明】
【技術分野】
【０００１】
本考案は、包丁に関するものである。
【背景技術】
【０００２】
従来の包丁は刃の部分が鋼やステンレス等の硬いものが多く、刃の部分が鋭いため危険を伴うことがある。  
【０００３】
最近は刃の部分がセラミック製の包丁もある。
【特許文献１】登録実用新案第３０７４３５６号公報
【特許文献２】登録実用新案第３０５８１４５号公報
【特許文献３】登録実用新案第３０２３７２０号公報
【特許文献４】登録実用新案第３０００９６７号公報
【考案の概要】
【考案が解決しようとする課題】
【０００４】
従来の包丁は色々な物を切るために刃の部分が硬く鋭く平面であることが必要であるが、このことが逆に問題になることがある。豆腐等の柔らかいものを手の上で切る場合は手を切る危険性もある。刃の部分が平面になっているため、ケーキ等を切るとクリーム等が刃についてしまい、その後始末が大変である。ケーキを子供に切らせたいと思っても、包丁の危険性を考えると躊躇する親も多い。
【課題を解決するための手段】
【０００５】
本考案は、前述のような問題点に鑑み、包丁の刃の部分をナイロン線やピアノ線、ステンレス線、鋼線等の細い糸状のものにした包丁である。
【考案の効果】
【０００６】
本考案の包丁は刃の部分が糸状になっているため、柔らかい素材のものを切るときに安全であるし、使用し易いし、かつ本考案の包丁は安価に作製できる。加えて刃にあたる部分が糸状になっているため、どの角度でも動かすことが可能であり、柔らかいものを切るときは、３６０度すべての角度で切ることができる。
【図面の簡単な説明】
【０００７】
【図１】本考案の側面図である。
【図２】本考案の斜視図である。
【考案を実施するための形態】
【０００８】
次に本考案の実施の形態を豆腐を切る場合の実施例として図面を参照して説明する。本図は糸状の刃を装着する本体の部分が強化プラスチックの例で、糸状の刃の部分をナイロン線を用いる例を示している。図１は本考案の側面図である。ナイロン線の刃１を装着するコの字形部分３と柄２の素材は強化プラスチックであり、その２つは一体化して形成されている。コの字形部分３は直径６ｍｍ程度の棒状のもので開口部を持ち、コの字形部分３の一方の縦の外側部分に直角に、それと一体化した柄２を持っている。コの字形部分３は横１２ｃｍ、縦９ｃｍ程度とし、柄２の部分は直径２ｃｍ、長さ１０ｃｍ程度の棒状のものとする。コの字形部分３の開口部の両端４に０．６ｍｍ程度の小孔５を各端から１ｍｍ程度のところにコの字形の横の部分と平行にあける。その小孔５に０．５ｍｍ程度のナイロン線を通し、コの字形の横の部分と平行に強く張り、コの字形の外に出た両端のナイロン線の部分を結び目６を作って接着し、ナイロン線が抜けないようにして、ナイロン線の刃１を設ける。柄２の部分は図１のようにコの字型の縦の中央上部に設ける。コの字形部分３の開口部の両端４は、あらかじめ外側に向けて少し広がるように作っているため、ナイロン線の刃１が両端４から引っ張られる状態になり、刃の役目を果たす。
【０００９】
本考案の包丁を使用すると、豆腐を手の上で切るときも安心して切られるし、ケーキを切ってもクリーム等が付着するのはナイロン線の刃１の部分だけであるから、使用後も簡単に手入れができる。本考案の包丁は安価に製作できるので、豆腐用、ケーキ用というように目的別に取り揃えられる。柄２の部分はナイロン線の刃１と垂直に設けてもよい。コの字形部分３と柄２の材質は鋼材等でもよいし、その棒状の形状も円形でなくても角形でもよい。ナイロン線の刃１の部分もステンレス線やピアノ線等でもよい。ナイロン線の刃１を本体に付けるときも、本体に巻きつけてもよい。柄２の部分を木材や強化ゴム等にしてもよい。
【符号の説明】
【００１０】
１はナイロン線の刃
２は柄
３はナイロン線の刃を装着するコの字形部分
４は３の開口部の両端
５はナイロン線を通す小孔
６はナイロン線の結び目
【図１】
0003162120.tif 000003
【図２】
0003162120.tif 000004
(57)【要約】【課題】  故人の面影を偲ぶことができる卒塔婆を提供する。【解決手段】  正面、背面または斜めなどから捉えた故人の全身または上半身の輪郭に象った卒塔婆。この卒塔婆は、人間の全身の姿を捉えており、その輪郭は不思議と個性がありその人を現していることから、墓参りなどの度に故人の面影を偲ぶことができる。【選択図】図１
0003162123.tif 000002
【実用新案登録請求の範囲】
【請求項１】
故人の全身または上半身の輪郭に象った卒塔婆。
【請求項２】
故人の全身または上半身の輪郭が、正面、背面または斜めから捉えたものである請求項１記載の卒塔婆。
【請求項３】
故人の全身または上半身の輪郭が、等身大である請求項１記載の卒塔婆。
【考案の詳細な説明】
【技術分野】
【０００１】
本考案は、卒塔婆に関するものである。さらに詳しくは、故人の面影を偲ぶことができる卒塔婆に関するものである。
【背景技術】
【０００２】
従来より、死者の霊を供養し、その冥福を追善するために、忌日などに卒塔婆を墓所に立てることが行われている。この卒塔婆には、例えば長さが800〜2000mm、幅が50〜150mm、板厚が8〜15mm程度の長尺かつ薄板の木材に五輪を表す刻みの入れられた外見を呈するものが一般的に用いられている(特許文献１参照)。
【０００３】
卒塔婆は、法事、彼岸、施餓鬼等の行事にあって、その度に新しい卒塔婆を用意するものであり、この卒塔婆から故人の面影を偲ぶことができれば、故人の冥福を祈る趣旨がより保たれることとなり、また墓参りなどの度に故人の面影を偲ぶことができると期待される。
【先行技術文献】
【特許文献】
【０００４】
【特許文献１】特開２００３−３１９８７０号公報
【考案の概要】
【考案が解決しようとする課題】
【０００５】
本考案の目的は、故人の面影を偲ぶことができる卒塔婆を提供することにある。
【課題を解決するための手段】
【０００６】
かかる本考案の目的は、故人の全身または上半身の輪郭に象った卒塔婆によって達成される。
【考案の効果】
【０００７】
本考案に係る卒塔婆は、人間の全身の姿を捉えており、その輪郭は不思議と個性がありその人を現していることから、墓参りなどの度に故人の面影を偲ぶことができるといった効果を奏する。
【図面の簡単な説明】
【０００８】
【図１】本考案に係る卒塔婆の一例を示す図である
【考案を実施するための形態】
【０００９】
本考案の卒塔婆は、故人の全身または上半身の輪郭に象ったものである。この故人の全身または上半身は、いずれの方向から捉えたものでもよく、例えば正面、背面または斜めから捉えたもの等が挙げられる。またその大きさは、故人の全身または上半身の輪郭が、好ましくは等身大のものが選ばれるが、これに限定されるものではなく、墓地の大きさに合わせて適宜選択することができる。さらに、縦長形状とするために、本来の縦横比を変えてもよい。
【００１０】
卒塔婆の素材としては、公知のいずれのものも用いることができ、例えば樅(もみ)、栂(つが)、スプルス、ホワイト・ファーなどが挙げられる。これらの素材は、その表面に特に処理を施すことなくそのまま用いることができるが、好ましくは塗料、例えば黒色で耐候性を持つ塗料で表面が処理される。ただし、このような表面処理がなされる場合には、図１に示される如く卒塔婆１の中心部分は白抜きとし、戒名、俗名、施主、命日などを記入し得る文字記入スペース２が設けられる。
【００１１】
本考案の卒塔婆の製造法は、特に限定されないが、例えば故人の全身写真などを切り抜き、これを投影プロジェクターなどの投影機器を用いてベニヤなどに所望の大きさとなるように投影し、その輪郭をカットすることにより製造される。
【符号の説明】
【００１２】
１  卒塔婆
２  文字記入スペース
【図１】
0003162123.tif 000003
(57)【要約】      （修正有）【課題】経机を取り出し自在に収納することができる仏壇の台を提供する。【解決手段】上置仏壇の床座用台１は、両側面５ａ、５ｂ、後面６および上面７が板状体によって囲まれ、上面７の下側に、前方に引き出し自在に収納された抽斗１０を備えた台２と、台２内に収納可能な経机３とから構成する。台２の上面７は、両側面５ａ、５ｂおよび後面６によって支持された水平面となっており、この上に上置仏壇を載置する。また、台２の抽斗１０の下は前面が開口している。この前面の開口から、経机３を台２内に取り出し自在に収納する。なお、両側面５ａ、５ｂおよび後面６を板状体とせず、複数の脚状体によって上面７を支持するよう構成しても良く、さらに、上面７と抽斗１０との間、または抽斗１０の下に膳引きを設けても良い。【選択図】図１
0003162128.tif 000002
【実用新案登録請求の範囲】
【請求項１】
両側面を構成する板状体によって支持された上面の下側に収納部を有し、前面の少なくとも一部が開口し、該前面の開口部から取り出し自在に収納された経机を備えてなる仏壇の台。
【請求項２】
前記収納部が、前方に引き出し自在に収納された抽斗である請求項１記載の仏壇の台。
【請求項３】
前記上面と前記抽斗との間、または前記抽斗の下に、前方に引き出し自在に収納された膳引きを設けてなる請求項２記載の仏壇の台。
【請求項４】
前記経机が箱形状を有し、前方に引き出し自在に収納された抽斗を有する請求項１〜３のいずれかに記載の仏壇の台。
【請求項５】
前記経机の下面には、車輪が取り付けられてなる請求項１〜４のいずれかに記載の仏壇の台。
【請求項６】
前記仏壇の台の後面が、板状体によって形成されてなる請求項１〜５のいずれかに記載の仏壇の台。
【請求項７】
脚状体によって支持された上面の下側に収納部を有し、前面の少なくとも一部が開口し、該前面の開口部から取り出し自在に収納された経机を備えてなる仏壇の台。
【考案の詳細な説明】
【技術分野】
【０００１】
本考案は、仏壇の台に関し、より詳しくは上置仏壇の床座用台に関する。
【背景技術】
【０００２】
仏壇は、台付き型と上置き型の２種類に分けることができ、台付き仏壇はそのまま床に載置するものであり、上置仏壇は、仏壇専用の台の上に載置することを前提として設計されたものである。
【０００３】
図２は、従来の上置仏壇の台の一例を示した概略斜視図であり、箱形状を有する台２０は、その前面に開閉自在の引き戸２１を備え、その中に仏具等を収納できるよう構成されている。図３は、従来の上置仏壇の台の他の例を示した概略斜視図であり、台３０は、その上面の下に引き出し自在に収納された膳引き３１と、さらにその下に複数の収納用抽斗３２とを備えている。これら従来の上置仏壇の台には経机や椅子の収納スペースがなく、別途そのためのスペースが必要となる。経机や椅子を取り出し自在に収納することができる仏壇の台はこれまでなかった。
【考案の概要】
【考案が解決しようとする課題】
【０００４】
本考案は、経机を取り出し自在に収納することができる新規な仏壇の台を提供することを目的とする。
【課題を解決するための手段】
【０００５】
本考案の仏壇の台は、両側面を構成する板状体によって支持された上面の下側に収納部を有し、前面の少なくとも一部が開口し、該前面の開口部から取り出し自在に収納された経机を備えてなることを特徴としている。
【０００６】
また、前記収納部が、前方に引き出し自在に収納された抽斗であることが好ましい。
【０００７】
また、前記上面と前記抽斗との間、または前記抽斗の下に、前方に引き出し自在に収納された膳引きを設けてなることが好ましい。
【０００８】
また、前記経机が箱形状を有し、前方に引き出し自在に収納された抽斗を有することが好ましい。
【０００９】
また、前記経机の下面には、車輪が取り付けられてなることが好ましい。
【００１０】
また、前記仏壇の台の後面が、板状体によって形成されてなることが好ましい。
【００１１】
本考案の仏壇の台は、脚状体によって支持された上面の下側に収納部を有し、前面の少なくとも一部が開口し、該前面の開口部から取り出し自在に収納された経机を備えてなることを特徴としている。
【考案の効果】
【００１２】
本考案の仏壇の台は、経机を収納することができるため、経机用のスペースを必要とせず、使い勝手が良い。
【図面の簡単な説明】
【００１３】
【図１】本考案の実施の形態による上置仏壇の床座用台の概略斜視図である。
【図２】従来の上置仏壇の台の一例を示した概略斜視図である。
【図３】従来の上置仏壇の台の他の例を示した概略斜視図である。
【考案を実施するための形態】
【００１４】
本考案の実施の形態による上置仏壇の床座用台について、添付図面に沿って以下詳細に説明する。
【００１５】
図１は、本考案の実施の形態による上置仏壇の床座用台の概略斜視図である。
【００１６】
図１に示されるように、上置仏壇の床座用台１は、両側面５ａ、５ｂ、後面６および上面７が板状体によって囲まれ、上面７の下側に、前方に引き出し自在に収納された抽斗１０を備えた台２と、台２内に収納可能な経机３とから構成されている。台２の上面７は、両側面５ａ、５ｂおよび後面６によって支持された水平面となっており、この上に上置仏壇（図示せず）を載置する。また、台２の抽斗１０の下は前面が開口している。この前面の開口から、経机３を台２内に取り出し自在に収納する。なお、両側面５ａ、５ｂおよび後面６を板状体とせず、複数の脚状体によって上面７を支持するよう構成しても良く、また、板状体は木製のものが好ましいが、これに限定されるものではなく、さらに、上面７と抽斗１０との間、または抽斗１０の下に膳引きを設けても良い。
【００１７】
経机３は、その一側面のほぼ全面が開口した箱形状を有する木製の机であり、その開口から自在に引き出すことができる抽斗１２を備えている。この抽斗１２に、仏具や遺骨を収納する。また、経机３の下面の４隅にはキャスター１５が取り付けられているため、経机３は台２から取り出しやすい。キャスター１５の少なくとも２つ以上には、経机３を移動不可とすることができるストッパーを設けておくことが好ましい。なお、経机３のキャスター１５はなくても良い。
【００１８】
このように、本考案の上置仏壇の床座用台によれば、経机用のスペースを必要とせず、使い勝手が良い。なお、本考案は、上置仏壇の床座用台に限定されるものではなく、広く仏壇の台に適用できるものである。
【符号の説明】
【００１９】
１  上置仏壇の床座用台
２  台
３  経机
５ａ、５ｂ  側面
６  後面
７  上面
１０  抽斗
１２  抽斗
１５  キャスター
２０、３０  台
２１  引き戸
３１  膳引き
３２  抽斗
【図１】
0003162128.tif 000003
【図２】
0003162128.tif 000004
【図３】
0003162128.tif 000005